(57)【要約】【課題】手袋本体に開設した穴縁に縫着される親指部の裁ち方を改良して、親指部から手袋本体の手首側開口縁部までを補強し、手袋本体と親指部との縫着部に綻びが生じなくした耐用時間の長い手袋を提供する。【解決手段】  手袋本体１に打ち抜き状に開設した穴縁９に親指部２を縫着し、手袋本体１の手首側縁部には引締め帯体３を縫着した手袋Ａにおいて、親指部２に、手首側向けに延長部１０を設け、該延長部１０を手袋本体１の手首側縁部に重合し、親指部２と穴縁９との縫合で、延長部側では延長部面に穴縁９を縫着した。【選択図】        図１
2005290635.tif 000002
【特許請求の範囲】
【請求項１】
手袋本体に打ち抜き状に開設した穴縁に親指部を縫着し、手袋本体の手首側縁部には引締め帯体を縫着した手袋において、親指部に、手首側向けに延長部を設け、該延長部を手袋本体の手首側縁部に重合し、親指部と穴縁との縫合で、延長部側では延長部面に穴縁を縫着したことを特徴とする手袋。
【請求項２】
手袋がスホーツ用又はレスキュー用のものであって、手袋本体及び親指部が薄手の伸縮性に乏しいシート素材からなることを特徴とする請求項１記載の手袋。
【請求項３】
手袋本体は、親指部側で手甲部と掌部を連続させた手袋本体片を二つ折り状にして周縁部を縫着してなり、小指側の手甲部と掌部との縫着部に、切込みを設け、手袋本体の手首側縁部に縫着した引締め帯体の両端を切り込み部に終わらせ、引締め帯体の一方の端部に掛止めベルトを取着し、該掛止めベルトを、切込み部を跨がせて引締め帯体の他方の端部に係脱自在にしたとを特徴とする請求項１又は２記載の手袋。
【発明の詳細な説明】
【技術分野】
【０００１】
本発明は、皮革や布巾などのシート素材から裁断縫製してなるスホーツ用又はレスキュー用の手袋に関するものであり、さらに詳しくは、伸縮性に乏しい薄手のシート素材からなる手袋において、手先への高いフィット性が求められる手袋に関するものである。
【背景技術】
【０００２】
レスキュー用又はスポーツ用の手袋として、皮革や布巾などの薄手のシート素材から裁断縫製された手袋が広く実用されている。
【０００３】
この種の手袋で、手袋本体は、人指し指の外側で手甲部と掌部を連続させた一枚の手袋本体片を二つ折り状にして周縁部を縫合して四指の指部を形成し、親指部は、別に裁断した親指片を袋状に縫合して親指部を形成し、この親指部を手袋本体の掌部側に打ち抜き状に開設した穴縁に縫着した構成の手袋がある。（例えば、特許文献１参照。）。
【０００４】
このような手袋を、例えば、レスキュー隊員が着用し、ロープを使用して人命救助活動を行うような場合に、ロープを強く引っ張ったり、ロープを物に強く巻き付けたり、ロープを強く結ぶといったような作業を伴うので、レスキュー隊員が着用する手袋としては、的確な手先の動きを実現するために、手先への高いフィット性が保たれることが求められる。
【０００５】
そこで、手袋の手首側端縁部には、適宜の幅と厚みのある伸縮性を有する引締め帯体が縫着してあって、手袋着用時には、この引締め帯体を手首部に確かり巻き付けておいて長時間の使用でも手先に対するフィット性が変わりなく保たれて作業（活動）を円滑に遂行できるようにしている。
【０００６】
また、前記するような手袋は、使用者が手袋を着用する際に、手袋の中に手先を入れたところで、片方の手で親指の付け根部付近の引締め帯体を持って手首側に引っ張って親指の指先を始め、他の指の指先までも手袋の各指部の内奥まで入り込ませるようにしてから、引締め帯体を手首部に確かり固定することも行われている。（特許文献１参照）。
【０００７】
ところが、前記するような従来の手袋で、手袋本体に打ち抜き状に開設した穴縁に対する親指部の縫着には、穴縁回りに親指部の端縁部を重ね合わせてミシン掛けして両者を縫着し、引締め帯体は手袋本体部の手首側端縁部だけに縫着されているので、使用者が手袋を装着する時に、引締め帯体を手首側に引っ張ると、この引っ張り力が手袋本体の穴縁と親指部端縁部との縫い目部分を介して親指部に伝達されるようになるので、使用者が手袋を装着する度に、引締め帯体を手首側に引っ張って手先に手袋をフィットさせる操作を繰り返している内に、何時しか、引っ張り力が原因で、手袋本体と親指部の縫い目部分に綻びを生じて手袋の耐用時間を縮めるようなことが起きる。
【特許文献１】特開平８−２９１４０６号公報。
【発明の開示】
【発明が解決しようとする課題】
【０００８】
本発明は、このような状況に鑑みてなされたものであって、手袋本体に開設した穴縁に縫着される親指部の裁ち方を改良して、穴縁部から引締め帯体が縫着される手袋本体の手首側開口縁部までを二重構造にし、引締め帯体を介して親指部に掛けられる引っ張り力が原因で、手袋本体と親指部との縫着部に綻びが生じないようにして手袋の耐用時間を延長した手袋を提供することを目的としたものである。
【課題を解決するための手段】
【０００９】
上記の目的を達成するための本発明に係る手袋は、手袋本体に打ち抜き状に開設した穴縁に親指部を縫着し、手袋本体の手首側縁部には引締め帯体を縫着した手袋において、親指部に、手首側向けに延長部を設け、該延長部を手袋本体の手首側縁部に重合し、親指部と穴縁との縫合で、延長部側では延長部面に穴縁を縫着したことを特徴とする。
【００１０】
ここで、親指部を形成する親指部片の上半部の形態は、この種の手袋における周知の親指部片と同じ形態に裁たれ、延長部は親指部片の下半部に形成される。従って、親指部片を袋状にしてから親指部を手袋本体に開設した穴縁に縫着する時に、親指部と穴縁との縫合では、途中から縫合線は延長部面に移行するので、予め、親指部片の面上には縫合線を表示して置く。
【００１１】
このように構成された本発明に係る手袋によれば、親指部に形成した延長部が、手袋本体の手首側縁部に重合して手首側縁部に引締め帯体が縫着されるので、手袋本体に対する親指部の付け根部が補強され、手袋を着用する際に、片方の手で引締め帯体を持って手首側に引っ張って手先に手袋をフィットさせる操作が繰り返えされても、この引っ張り力が直接的に親指部に伝達され、手袋本体の穴縁と親指部との縫着部に掛けられ、縫い目を介して親指部に伝達されることがないので、長期間に亘って安定した性能を発揮する。
【００１２】
また、前記構成において、手袋がスホーツ用又はレスキュー用のものであって、手袋本体及び親指部が薄手の伸縮性に乏しいシート素材からなり、また、手袋本体は、親指部側で手甲部と掌部を連続させた手袋本体片を二つ折り状にして周縁部を縫着してなり、小指側の手甲部と掌部との縫着部に、切込みを設け、手袋本体の手首側縁部に縫着した引締め帯体の両端を切り込み部に終わらせ、引締め帯体の一方の端部に掛止めベルトを取着し、該掛止めベルトを、切り込み部を跨いで引締め帯体の他方の端部に係脱自在にした構成にすると、使用者が手袋を着用する時に、引締め帯体を手首側に引っ張って手先に手袋をフィットさせるのに、片方の手で持つ引締め帯体の位置は、親指部の付け根部に対応する引締め帯体の丁度真ん中付近（両端部から見て）になるので、引締め帯体を介して手袋本体に掛ける力も掛け易くなって使い易く、また、本発明に係る手袋を、例えば、レスキュー隊員が着用してロープを使用するような作業に携わる際に、手先への高いフィット性が保たれるので、的確な手先の動きを実現して作業（活動）を円滑に遂行することができる。
【発明の効果】
【００１３】
手袋本体に開設した穴縁に親指部を縫着するのに、親指部に設けた延長部を、穴縁部から引締め帯体が縫着される手袋本体の手首側開口縁部まで延長して二重構造にして引締め帯体を縫着したので、引締め帯体を介して親指部に掛けられる引っ張り力が原因で、親指部の縫着部に綻びが生じることがなく、手袋の耐用時間を延長するとともに、手先への高いフィット性が保たれて的確な手先の動きを実現して作業性を向上できる。
【発明を実施するための最良の形態】
【００１４】
以下、図面を参照しながら、本発明の実施例に係る手袋について具体的に説明する。
【実施例１】
【００１５】
図１は本発明に係る手袋の斜視図、図２（ａ）は手袋本体を形成する手袋本体片の展開正面図、図２（ｂ）は親指部を形成する親指片の展開正面図である。
【００１６】
手袋Ａの主要構成は、手袋本体１と親指２及び引締め帯体３からなり、手袋本体１を形成する手袋本体片１′と親指部２を形成する親指片２′はともに、皮革や布巾などの薄手のシート素材から裁断したものである。引締め帯体３は、適宜の幅と厚みのある伸縮性を有する帯体からなる。
【００１７】
前記の手袋本体片１′は、図２（ａ）に示すように、人差し指片４′の外側のところで手甲部６と掌部５を連続させた対称形をなし、手甲部６と掌部５には、それぞれに親指を除く四指の指部７を形成する指片７′が切り込み線８により形成しており、手袋本体１の掌部５側には、親指の付け根部に対応した位置に、親指部２が縫着される穴縁９を打抜き加工で形設している。
【００１８】
この穴縁９は全体として上向きに細長くＵ字状に切り込みを設け、その上半部に突片９ａ残して下半部を切欠して開放穴部９ｂを形成したもので、穴縁９の上半部に形成した突片９ａは、穴縁９に縫着される親指部２を立体的に縫着するのに必要とされるものである。
【００１９】
前記の親指片２′は、図２（ｂ）に示すように、親指の形に合わせて形状的にはほぼ左右対称形をなすもので、親指片２′の下半部を手首側に延長して延長部１０を形成し、この延長部１０の端縁１０ａを手袋本体１の手首側端縁１ａに合致させるようにしている。
【００２０】
而して、親指部２を形成する親指部片２′の上半部の形態は、この種の手袋における周知の親指片と同じ形態に裁たれるが、親指片２′の下半部には、端縁１０ａを手袋本体１の手首側端縁１ａに合致させる延長部１０を形成しているので、この親指片２′で袋状に形成した親指部２を手袋本体１に開設した穴縁９に縫着する時に、親指部２と穴縁９との縫着は途中から延長部１０面に移行するので、親指片２′の延長部１０面上には、予め、穴縁との縫着線１１を表示し、この縫着線に沿って穴縁９との縫着が行われるようにしている。
【００２１】
前記の引締め帯体３は、適宜の幅と厚みがあって伸縮性を有し、手袋本体１の手首側端縁１ａに縫着されるもので、この引締め帯体３の両端を、手袋本体１の小指側で、手袋本体片１′の掌部５と手甲部６との縫着線の下部に設けた切込み部１２の所で終わらせ、引留め帯体３の一方の端部に延長状に掛止めベルト１３を設け、この掛止めベルト１３の遊端部にはベルベット式ファスナー等（図示せず）が設けてあって手袋着用時に掛止めベルト１３を切込み部１２に跨がせで引留め帯体３の他方の端部上に係脱自在にしている。
【００２２】
また、手袋本体１の手首側端縁１ａに対する引締め帯体３の縫着は、手袋本体１に親指部２を縫着した後に行われ、この引締め帯体３の縫着時に、図４に示すように、親指片２′の下半部に形成した延長部１０の端縁１０ａを手首側端縁１ａに重合して一緒に引締め帯体３を縫着する。
【００２３】
なお、上記構成において、手袋本体片１′は二つ折りして公知の手法により周縁を縫着して手袋本体１を形成するが、この手袋本体１を縫製する上で、手甲部６と掌部５に、それぞれに形成した親指を除く四指の指部７を形成する各指片７′に対しては、適宜形状の襠片１４などを縫着して袋状の各指部７を形成する。
【００２４】
また、延長部１０を有する親指部２と下半部に対する手袋本体１の穴縁９との縫着は、途中から延長部１０面上での縫着となるが、この延長部１０面上には、予め、穴縁との縫着線１１を表示しているので、これにより従来の手袋の製法とほとんど変わりなく手袋は縫製される。
【産業上の利用可能性】
【００２５】
本発明に係る手袋は種類も多いものであるが、本発明に係るような手袋によれば、構造が簡単で手袋の耐用寿命の延長と手袋の使い勝手を格段に向上できるので、その利用範囲は極めて広範になり、販売範囲を拡大して販売増強を図ることができる実用上、極めて有益なものである。
【図面の簡単な説明】
【００２６】
【図１】本発明に係る手袋の斜視図である。
【図２】（ａ）は手袋本体を形成する手袋本体片の展開正面図、（ｂ）は親指部を形成する親指片の展開正面図である。
【図３】図１ａ−ａ線における拡大断面図である。
【符号の説明】
【００２７】
１  手袋本体
１ａ  手首側端縁
２  親指部
３  引締め帯体
４  人差し指片
５  掌部
６  手甲部
７  指部
８  切り込み線
９  穴縁
９ａ  突片
９ｂ  開放穴部
１０  延長部
１０ａ  延長部端縁
１１  縫着線
１２  切込み部
１３  掛止めベルト
１４  襠片
Ａ  手袋
【図１】
2005290635.tif 000003
【図２】
2005290635.tif 000004
【図３】
2005290635.tif 000005